(57)【要約】【課題】回路規模の削減と負荷の軽減とを図り、消費電力をも低減可能な送信電力制御回路を提供する。【解決手段】送信部制御手段１は必要に応じてＦｉｅｌｄ情報第一格納手段４及びＦｉｅｌｄ情報第二格納手段５に処理する送信チャンネルのフィールド情報を、処理する送信チャンネルのスロット切替タイミングをＳｌｏｔタイミング発生手段７に、送信電力情報をＦｉｅｌｄ毎振幅値第一格納手段２及びＦｉｅｌｄ毎振幅値第二格納手段３に順次設定する。送信部制御手段１はＦｉｅｌｄ情報第一格納手段４及びＦｉｅｌｄ情報第二格納手段５に設定されている伝送フォーマットへの切替えが必要な場合に、Ｆｉｅｌｄ情報切替制御手段６に対してフィールド情報の切替指示を設定する。【選択図】      図１
2004215121.tif 000002
【特許請求の範囲】
【請求項１】
基地局装置において送信電力制御を行う送信電力制御回路であって、前記基地局装置からの送信チャンネルのフィールド情報を利用して前記送信電力制御を行う手段を有することを特徴とする送信電力制御回路。
【請求項２】
前記フィールド情報は、少なくとも各フィールドのフィールド時間長及びスロット境界からフィールド開始位置までの時間長を示す情報であることを特徴とする請求項１記載の送信電力制御回路。
【請求項３】
前記送信電力制御を行う手段は、前記送信チャンネルの送信振幅値をフィールド毎に設定する手段と、前記送信振幅値を出力する手段とを含むことを特徴とする請求項１または請求項２記載の送信電力制御回路。
【請求項４】
前記送信振幅値をフィールド毎に設定する手段は、通常フォーマットで送信チャンネルを伝送する場合のフィールド情報を第一格納手段に設定し、処理する送信チャンネルにＳＴＴＤ（Ｓｐａｃｅ  Ｔｉｍｅ  Ｔｒａｎｓｍｉｔ  Ｄｉｖｅｒｓｉｔｙ）伝送が適用されかつＣｏｍｍｐｒｅｓｓｅｄ  Ｍｏｄｅ  ｂｙ  ｒｅｄｕｃｉｎｇ  ｔｈｅ  ｓｐｒｅａｄｉｎｇ  ｆａｃｔｏｒｂｙ  ２が適用された際の圧縮伝送中フォーマットが通常伝送に使用されるフォーマットと異なる場合に前記圧縮伝送中フォーマットのフィールド情報を第二格納手段に設定することを特徴とする請求項３記載の送信電力制御回路。
【請求項５】
前記送信電力制御を行う手段は、送信開始後、偶数番目に送信するスロットの送信電力情報をフィールド単位で前記第一格納手段に設定し、奇数番目に送信するスロットの送信電力情報をフィールド単位で前記第二格納手段に設定することを特徴とする請求項４記載の送信電力制御回路。
【請求項６】
前記送信電力制御を行う手段は、前記第一格納手段と前記第二格納手段とを前記スロット毎に面切替えしながら使用することを特徴とする請求項５記載の送信電力制御回路。
【請求項７】
基地局装置において送信電力制御を行う送信電力制御方法であって、前記基地局装置からの送信チャンネルのフィールド情報を利用して前記送信電力制御を行うことを特徴とする送信電力制御方法。
【請求項８】
前記フィールド情報は、少なくとも各フィールドのフィールド時間長及びスロット境界からフィールド開始位置までの時間長を示す情報であることを特徴とする請求項７記載の送信電力制御方法。
【請求項９】
前記送信電力制御を行う際に前記送信チャンネルの送信振幅値をフィールド毎に設定するステップと、前記送信振幅値を出力するステップとを含むことを特徴とする請求項７または請求項８記載の送信電力制御方法。
【請求項１０】
前記送信振幅値をフィールド毎に設定するステップは、通常フォーマットで送信チャンネルを伝送する場合のフィールド情報を第一格納手段に設定し、処理する送信チャンネルにＳＴＴＤ（Ｓｐａｃｅ  Ｔｉｍｅ  Ｔｒａｎｓｍｉｔ  Ｄｉｖｅｒｓｉｔｙ）伝送が適用されかつＣｏｍｍｐｒｅｓｓｅｄ  Ｍｏｄｅ  ｂｙ  ｒｅｄｕｃｉｎｇ  ｔｈｅ  ｓｐｒｅａｄｉｎｇ  ｆａｃｔｏｒ  ｂｙ  ２が適用された際の圧縮伝送中フォーマットが通常伝送に使用されるフォーマットと異なる場合に前記圧縮伝送中フォーマットのフィールド情報を第二格納手段に設定することを特徴とする請求項９記載の送信電力制御方法。
【請求項１１】
前記送信電力制御を行う際に、送信開始後、偶数番目に送信するスロットの送信電力情報をフィールド単位で前記第一格納手段に設定し、奇数番目に送信するスロットの送信電力情報をフィールド単位で前記第二格納手段に設定することを特徴とする請求項１０記載の送信電力制御方法。
【請求項１２】
前記送信電力制御を行う際に、前記第一格納手段と前記第二格納手段とを前記スロット毎に面切替えしながら使用することを特徴とする請求項１１記載の送信電力制御方法。
【発明の詳細な説明】
【０００１】
【発明の属する技術分野】
本発明は送信電力制御回路及びそれに用いる送信電力制御方法に関し、特にＷＣＤＭＡ（Ｗｉｄｅｂａｎｄ  Ｃｏｄｅ  Ｄｉｖｉｓｉｏｎ  Ｍｕｌｔｉｐｌｅ
Ａｃｃｅｓｓ）基地局における送信電力制御回路に関する。
【０００２】
【従来の技術】
従来、この種の送信電力制御回路においては、図７に示すように、送信部制御手段２１と、Ｓｙｍｂｏｌ毎振幅値第一格納手段２２と、Ｓｙｍｂｏｌ毎振幅値第二格納手段２３と、ｐｉｌｏｔ  Ｆｉｅｌｄ情報格納手段２４と、Ｓｙｍｂｏｌ  ｒａｔｅ格納手段２５と、Ｓｌｏｔタイミング発生手段２６と、Ｓｙｍｂｏｌ毎振幅値読出し振幅出力手段２７とから構成されている。
【０００３】
送信部制御手段２１は送信電力制御回路を制御する手段で、ｐｉｌｏｔ  Ｆｉｅｌｄ情報格納手段２４に処理する送信チャンネルのパイロットフィールド（ｐｉｌｏｔ  Ｆｉｅｌｄ）情報を設定する。パイロットフィールド情報とは、図２に示すようなフォーマット（Ｆｏｒｍａｔ）のチャンネルにおいて、パイロットフィールドがフォーマットの先頭から何シンボル（Ｓｙｍｂｏｌ）目から開始されるかを示す情報である。
【０００４】
例えば、フォーマットの全シンボル数が「５」、パイロットフィールドのシンボル数が「２」で、パイロットフィールドがフォーマット先頭から「４」シンボル目と「５」シンボル目との場合には、パイロットフィールド情報として「４」が設定される。
【０００５】
また、送信部制御手段２１は処理する送信チャンネルのスロット（Ｓｌｏｔ）切替タイミングをＳｌｏｔタイミング発生手段２６に設定する。さらに、送信部制御手段２１はスロット単位の送信電力制御を行い、送信開始後、ａ番目（ａ＝０，２，４，６，・・・）に送信するスロットの送信電力情報を、Ｓｙｍｂｏｌ毎振幅値第一格納手段２２に順次設定する。この設定の際には、シンボル単位に送信電力値を設定する。
【０００６】
さらにまた、送信部制御手段２１はｂ番目（ｂ＝１，３，５，７，・・・）に送信するスロットの送信電力情報を、Ｓｙｍｂｏｌ毎振幅値第二格納手段２３に順次設定する。Ｓｙｍｂｏｌ毎振幅値第一格納手段２２及びＳｙｍｂｏｌ毎振幅値第二格納手段２３の構成例を図８に示す。
【０００７】
Ｓｙｍｂｏｌ毎振幅値第一格納手段２２及びＳｙｍｂｏｌ毎振幅値第二格納手段２３に対して、送信部制御手段２１が振幅値を設定するタイミングは、Ｓｙｍｂｏｌ毎振幅値第一格納手段２２及びＳｙｍｂｏｌ毎振幅値第二格納手段２３において、他方に設定された振幅値による送信が開始された後、次のスロットの送信が開始される迄に設定する。つまり、送信部制御手段２１はスロット毎にＳｙｍｂｏｌ毎振幅値第一格納手段２２及びＳｙｍｂｏｌ毎振幅値第二格納手段２３の二つを面切替しながら使用する。
【０００８】
このほかに、送信部制御手段２１はＳｙｍｂｏｌ  ｒａｔｅ格納手段２５に、処理する送信チャンネルのシンボルレート（Ｓｙｍｂｏｌ  ｒａｔｅ）を設定する。
【０００９】
Ｓｙｍｂｏｌ毎振幅値読出振幅出力手段２７はＳｌｏｔタイミング発生手段２６から入力するスロット境界認識用タイミング信号によって、スロット境界位置を認識し、スロット境界でクリアされるようなカウンタ（図示せず）を動作させる。その際のカウントアップ周期は、Ｓｙｍｂｏｌ  ｒａｔｅ格納手段２５から入力するシンボルレートからカウントアップ動作する。
【００１０】
また、Ｓｙｍｂｏｌ毎振幅値読出振幅出力手段２７はｐｉｌｏｔ  Ｆｉｅｌｄ情報格納手段２４から入力するパイロットフィールドの開始位置情報から、パイロットフィールド先頭境界を示す信号を生成する。Ｓｙｍｂｏｌ毎振幅値読出振幅出力手段２７はこの信号によって、Ｓｙｍｂｏｌ毎振幅値第一格納手段２２及びＳｙｍｂｏｌ毎振幅値第二格納手段２３のうちのどちらから振幅値を読出すかを選択する。Ｓｙｍｂｏｌ毎振幅値読出振幅出力手段２７は振幅値読出し時、シンホルレートにて、シンボル単位で、順次、振幅値を読出して出力する。
【００１１】
上記のほかに、ＷＣＤＭＡ基地局の送信部では、「ＳＴＴＤ（Ｓｐａｃｅ  Ｔｉｍｅ  Ｔｒａｎｓｍｉｔ  Ｄｉｖｅｒｓｉｔｙ）」や「Ｃｏｍｍｐｒｅｓｓｅｄ  Ｍｏｄｅ  ｂｙ  ｒｅｄｕｃｉｎｇ  ｔｈｅ  ｓｐｒｅａｄｉｎｇ  ｆａｃｔｏｒ  ｂｙ  ２」（例えば、非特許文献１〜３参照）への対応も求められている。
【００１２】
【非特許文献１】
３ＧＰＰ（３ｒｄ  Ｇｅｎｅｒａｔｉｏｎ  ＰａｒｔｎｅｒｓｈｉｐＰｒｏｊｅｃｔ）  ＴＳ２５．２１１  ｖ３．１２．０
【非特許文献２】
３ＧＰＰ  ＴＳ２５．２１２  ｖ３．１１．０
【非特許文献３】
３ＧＰＰ  ＴＳ２５．２１４  ｖ３．１１．０
【００１３】
【発明が解決しようとする課題】
上述した従来のＷＣＤＭＡ基地局では、送信処理するチャンネルの全シンボル数分、送信制御手段が振幅値を設定する必要があり、送信処理するチャンネルの全シンボル数の振幅値を格納できるだけのメモリを具備しておく必要がある。また、従来のＷＣＤＭＡ基地局では、送信処理するチャンネルのシンボル数にて振幅値格納面の面切替信号を生成している。
【００１４】
したがって、従来のＷＣＤＭＡ基地局では、ベースバンド信号の速度が狭帯域ＣＤＭＡより高速になり、ベースバンド処理部の消費電力が増す方向にあり、低消費電力化の方式が軽視できない状況にある。
【００１５】
そこで、本発明の目的は上記の問題点を解消し、回路規模の削減と負荷の軽減とを図ることができ、消費電力をも低減することができる送信電力制御回路及びそれに用いる送信電力制御方法を提供することにある。
【００１６】
【課題を解決するための手段】
本発明による送信電力制御回路は、基地局装置において送信電力制御を行う送信電力制御回路であって、前記基地局装置からの送信チャンネルのフィールド情報を利用して前記送信電力制御を行う手段を備えている。
【００１７】
本発明による送信電力制御方法は、基地局装置において送信電力制御を行う送信電力制御方法であって、前記基地局装置からの送信チャンネルのフィールド情報を利用して前記送信電力制御を行っている。
【００１８】
すなわち、本発明の送信電力制御回路は、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）基地局装置において送信電力制御を行う回路であり、送信チャンネルのフィールド（Ｆｉｅｌｄ）情報を利用することで、送信電力制御部の回路規模を削減し、また、「ＳＴＴＤ（Ｓｐａｃｅ  Ｔｉｍｅ  Ｔｒａｎｓｍｉｔ  Ｄｉｖｅｒｓｉｔｙ）」や「Ｃｏｍｍｐｒｅｓｓｅｄ  Ｍｏｄｅ  ｂｙ  ｒｅｄｕｃｉｎｇ  ｔｈｅ  ｓｐｒｅａｄｉｎｇ  ｆａｃｔｏｒ  ｂｙ  ２」に対しても、簡易な回路で対応可能としている。
【００１９】
また、本発明の送信電力制御回路では、フィールド情報を活用することで、その負荷の軽減も図っており、回路規模の削減と負荷の軽減とによって、低消費電力化も実現可能としている。
【００２０】
より具体的に説明すると、本発明の送信電力制御回路では、自回路を制御する送信部制御手段がＦｉｅｌｄ情報第一格納手段及びＦｉｅｌｄ情報第二格納手段に処理する送信チャンネルのフィールド情報を設定する。
【００２１】
ここで、Ｆｉｅｌｄ情報第一格納手段には、通常フォーマット（Ｆｏｒｍａｔ）で送信チャンネルを伝送する場合のフィールド情報を設定する。他方、Ｆｉｅｌｄ情報第二格納手段には、以下の場合のみ設定が必要であり、それ以外の場合には、Ｆｉｅｌｄ情報第二格納手段への設定が不要である。
【００２２】
Ｆｉｅｌｄ情報第二格納手段への設定が必要になるのは、処理する送信チャンネルが「ＳＴＴＤ」伝送が適用され、かつ「Ｃｏｍｍｐｒｅｓｓｅｄ  Ｍｏｄｅｂｙ  ｒｅｄｕｃｉｎｇ  ｔｈｅ  ｓｐｒｅａｄｉｎｇ  ｆａｃｔｏｒ  ｂｙ２」が適用された際の圧縮伝送中フォーマットが通常伝送に使用されるフォーマットと異なる場合のみである。この条件に合致し、設定が必要な場合には、Ｆｉｅｌｄ情報第二格納手段に「Ｃｏｍｍｐｒｅｓｓｅｄ  Ｍｏｄｅ  ｂｙ  ｒｅｄｕｃｉｎｇ  ｔｈｅ  ｓｐｒｅａｄｉｎｇ  ｆａｃｔｏｒ  ｂｙ  ２」が適用された際の圧縮伝送中フォーマットのフィールド情報が設定される。
【００２３】
また、送信部制御手段は処理する送信チャンネルのスロット（Ｓｌｏｔ）切替タイミングをＳｌｏｔタイミング発生手段に設定する。
【００２４】
他方、送信部制御手段はスロット単位の送信電力制御を行い、送信開始後、ａ番目（ａ＝０，２，４，６，・・・）（偶数番目）に送信するスロットの送信電力情報を、Ｆｉｅｌｄ毎振幅値第一格納手段に設定する。その設定の際には、シンボル（Ｓｙｍｂｏｌ）単位に送信電力値を設定するのではなく、フィールド単位で設定する。
【００２５】
また、送信部制御手段はｂ番目（ｂ＝１，３，５，７，・・・）（奇数番目）に送信するスロットの送信電力情報を、Ｆｉｅｌｄ毎振幅値第二格納手段に設定する。これらＦｉｅｌｄ毎振幅値第一格納手段及びＦｉｅｌｄ毎振幅値第二格納手段に対して、送信部制御手段が振幅値を設定するタイミングは、Ｆｉｅｌｄ毎振幅値第一格納手段及びＦｉｅｌｄ毎振幅値第二格納手段の二つにおいて、他方の振幅値格納手段に設定された振幅値による送信が開始された後、次のスロットの送信が開始されるまでに設定する。つまり、スロット毎に二つのＦｉｅｌｄ毎振幅値第一格納手段及びＦｉｅｌｄ毎振幅値第二格納手段は面切替されながら使用される。
【００２６】
さらに、送信部制御手段はＦｉｅｌｄ情報第二格納手段に設定されている伝送フォーマットへ切替えが必要な場合と、Ｆｉｅｌｄ情報第一格納手段に設定されている伝送フォーマットへの切替えが必要な場合とに、Ｆｉｅｌｄ情報切替手段に対してフィールド情報の切替指示を設定する。
【００２７】
振幅格納部選択タイミング生成手段はＦｉｅｌｄ情報第一格納手段、Ｆｉｅｌｄ情報第二格納手段、Ｆｉｅｌｄ情報切替制御手段、Ｓｌｏｔタイミング発生手段から入力する信号に基づいて、Ｆｉｅｌｄ毎振幅値第一格納手段及びＦｉｅｌｄ毎振幅値第二格納手段のいずれの振幅値を適用するかを選択する信号を、振幅格納部選択手段に出力する。振幅格納部選択手段ではその信号に基づいて選択された振幅値をＦｉｅｌｄ選択出力手段に出力する。
【００２８】
Ｆｉｅｌｄ選択タイミング生成手段はＦｉｅｌｄ情報第一格納手段、Ｆｉｅｌｄ情報第二格納手段、Ｆｉｅｌｄ情報切替制御手段、Ｓｌｏｔタイミング発生手段から入力する信号に基づいて、フィールドを選択する信号を生成し、その信号をＦｉｅｌｄ選択振幅出力手段に出力する。Ｆｉｅｌｄ選択振幅出力手段はその信号に基づいて、振幅格納部選択手段から入力するフィールド毎の振幅値の中から、振幅値を選択して出力する。
【００２９】
これによって、本発明の送信電力制御回路では、回路規模を削減し、かつ「ＳＴＴＤ」や「Ｃｏｍｍｐｒｅｓｓｅｄ  Ｍｏｄｅ  ｂｙ  ｒｅｄｕｃｉｎｇ  ｔｈｅ  ｓｐｒｅａｄｉｎｇ  ｆａｃｔｏｒ  ｂｙ  ２」に対しても、簡易な回路で対応することが可能となり、また自回路の負荷の軽減をも図っている。また、本発明の送信電力制御回路では、回路規模の削減と負荷の軽減とによって、低消費電力化をも実現している。
【００３０】
【発明の実施の形態】
次に、本発明の実施例について図面を参照して説明する。図１は本発明の一実施例によるＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）基地局装置の送信電力制御回路の構成を示すブロック図である。図１において、本発明の一実施例による送信電力制御回路は送信部制御手段１と、Ｆｉｅｌｄ毎振幅値第一格納手段２と、Ｆｉｅｌｄ毎振幅値第二格納手段３と、Ｆｉｅｌｄ情報第一格納手段４と、Ｆｉｅｌｄ情報第二格納手段５と、Ｆｉｅｌｄ情報切替制御手段６と、Ｓｌｏｔタイミング発生手段７と、振幅格納部選択手段８と、振幅格納部選択タイミング生成手段９と、Ｆｉｅｌｄ選択振幅出力手段１０と、Ｆｉｅｌｄ選択タイミング生成手段１１とから構成されている。
【００３１】
送信部制御手段１は自回路を制御する手段で、必要に応じてＦｉｅｌｄ情報第一格納手段４及びＦｉｅｌｄ情報第二格納手段５に処理する送信チャンネルのフィールド（Ｆｉｅｌｄ）情報を設定する。また、送信部制御手段１は処理する送信チャンネルのスロット（Ｓｌｏｔ）切替タイミングをＳｌｏｔタイミング発生手段７に設定する。
【００３２】
他方、送信部制御手段１は送信電力情報をＦｉｅｌｄ毎振幅値第一格納手段２及びＦｉｅｌｄ毎振幅値第二格納手段３に順次設定する。
【００３３】
また、送信部制御手段１はＦｉｅｌｄ情報第二格納手段５に設定されている伝送フォーマット（Ｆｏｒｍａｔ）への切替えが必要な場合と、Ｆｉｅｌｄ情報第一格納手段４に設定されている伝送フォーマットへの切替えが必要な場合とに、Ｆｉｅｌｄ情報切替制御手段６に対してフィールド情報の切替指示を設定する。
【００３４】
さらに、振幅格納部選択タイミング生成手段９はＦｉｅｌｄ情報第一格納手段４、Ｆｉｅｌｄ情報第二格納手段５、Ｆｉｅｌｄ情報切替制御手段６、Ｓｌｏｔタイミング発生手段７から入力する信号に基づいて、Ｆｉｅｌｄ毎振幅値第一格納手段２及びＦｉｅｌｄ毎振幅値第二格納手段３のいずれの振幅値を適用するかを選択する信号を、振幅格納部選択手段８に出力する。振幅格納部選択手段８ではその信号に基づいて選択された振幅値を、Ｆｉｅｌｄ選択振幅出力手段１０に出力する。
【００３５】
Ｆｉｅｌｄ選択タイミング生成手段１１はＦｉｅｌｄ情報第一格納手段４、Ｆｉｅｌｄ情報第二格納手段５、Ｆｉｅｌｄ情報切替制御手段６、Ｓｌｏｔタイミング発生手段７から入力する信号に基づいて、フィールドを選択する信号を生成し、Ｆｉｅｌｄ選択振幅出力手段１０に出力する。Ｆｉｅｌｄ選択振幅出力手段１０はその信号に基づいて、振幅格納部選択手段８から入力するフィールド毎の振幅値の中から振幅値を選択して出力する。
【００３６】
図２は基地局送信チャンネルのフォーマットの一例を示す図であり、図３は本発明の一実施例によるフィールド毎振幅情報を示す図であり、図４は本発明の一実施例によるフィールド情報を示す図である。また、図５及び図６は本発明の一実施例によるＷＣＤＭＡ基地局装置の送信電力制御回路の動作を示すフローチャートである。
【００３７】
これら図１〜図６を参照して本発明の一実施例によるＷＣＤＭＡ基地局装置の送信電力制御回路の動作について説明する。尚、ＷＣＤＭＡ基地局装置の送信電力制御動作を含む送信部の処理に関しては公知であるので、その説明を省略する。
【００３８】
送信部制御手段１はＦｉｅｌｄ情報第一格納手段４及びＦｉｅｌｄ情報第二格納手段５に処理する送信チャンネルのフィールド情報を設定する（図５ステップＳ１，Ｓ２）。このフィールド情報の例を図４に示す。フィールドとは、図２に示すチャンネルフォーマットを例にすると、ＴＰＣ（Ｔｒａｎｓｍｉｔ  Ｐｏｗｅｒ  Ｃｏｎｔｒｏｌ）、ＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）、ＰＩＬＯＴ、ＤＡＴＡの各部を指す。また、フィールド情報とは各フィールドのフィールド時間長や、スロット境界からフィールド開始位置までの時間長を示す情報である。
【００３９】
ここで、Ｆｉｅｌｄ情報第一格納手段４には、通常フォーマットで送信チャンネルを伝送する場合のフィールド情報が設定される。他方、Ｆｉｅｌｄ情報第二格納手段５には以下の場合のみ、設定が必要であり、それ以外の場合にはＦｉｅｌｄ情報第二格納手段５への設定が不要である。
【００４０】
設定が必要になるのは、処理する送信チャンネルが「ＳＴＴＤ（Ｓｐａｃｅ  Ｔｉｍｅ  Ｔｒａｎｓｍｉｔ  Ｄｉｖｅｒｓｉｔｙ）」伝送が適用され、かつ「Ｃｏｍｍｐｒｅｓｓｅｄ  Ｍｏｄｅ  ｂｙ  ｒｅｄｕｃｉｎｇ  ｔｈｅ  ｓｐｒｅａｄｉｎｇ  ｆａｃｔｏｒ  ｂｙ  ２」が適用された際の圧縮伝送中フォーマットが通常伝送に使用されるフォーマットのフィールド情報が異なる場合のみである。
【００４１】
設定が必要な場合には、Ｆｉｅｌｄ情報第二格納手段５に「Ｃｏｍｍｐｒｅｓｓｅｄ  Ｍｏｄｅ  ｂｙ  ｒｅｄｕｃｉｎｇ  ｔｈｅ  ｓｐｒｅａｄｉｎｇ  ｆａｃｔｏｒ  ｂｙ  ２」が適用された際の圧縮伝送中フォーマットのフィールド情報を設定する。
【００４２】
尚、従来の技術では、フィールド情報としてスロット境界からパイロットフィールド（Ｐｉｌｏｔ  Ｆｉｅｌｄ）までの時間長を送信するチャンネルのシンボルレート（Ｓｙｍｂｏｌ  ｒａｔｅ）周波数換算クロック数を単位としているが、本実施例によるフィールド情報設定の単位は、処理するチャンネルの周波数によらず、一定の周波数に対するクロック数を単位とする。
【００４３】
例えば、送信するチャンネルの周波数によらず、２４０ｋＨｚのクロック数に換算してフィールド情報を設定する。そうすることで、「Ｃｏｍｍｐｒｅｓｓｅｄ  Ｍｏｄｅ  ｂｙ  ｒｅｄｕｃｉｎｇ  ｔｈｅ  ｓｐｒｅａｄｉｎｇ  ｆａｃｔｏｒ  ｂｙ  ２」による圧縮伝送でシンボルレートが変更になるが、その場合にもフィールド情報の更新を、最小限のケースに抑えて送信部制御手段１の負荷軽減を実現する。
【００４４】
また、送信部制御手段１は処理する送信チャンネルのスロット切替タイミングをＳｌｏｔタイミング発生手段７に設定する（図５ステップＳ３）。
【００４５】
他方、送信部制御手段１はスロット単位の送信電力制御を行い（図５ステップＳ４）、送信開始後、ａ番目（ａ＝０，２，４，６，・・・）（偶数番目）に送信するスロットの送信電力情報を、Ｆｉｅｌｄ毎振幅値第一格納手段２に設定する（図５ステップＳ５，Ｓ６）。設定の際には、シンボル単位に送信電力値を設定するのではなく、フィールド単位で設定する。
【００４６】
また、送信部制御手段１はｂ番目（ｂ＝１，３，５，７，・・・）（奇数番目）に送信するスロットの送信電力情報を、Ｆｉｅｌｄ毎振幅値第二格納手段３に設定する（図５ステップＳ５，Ｓ７）。
【００４７】
Ｆｉｅｌｄ毎振幅値第一格納手段２及びＦｉｅｌｄ毎振幅値第二格納手段３に対して、送信部制御手段１が振幅値を設定するタイミングは、Ｆｉｅｌｄ毎振幅値第一格納手段２及びＦｉｅｌｄ毎振幅値第二格納手段３の二つにおいて、他方に設定された振幅値による送信が開始された後、次のスロットの送信が開始されるまでに設定する。
【００４８】
つまり、スロット毎に二つのＦｉｅｌｄ毎振幅値第一格納手段２及びＦｉｅｌｄ毎振幅値第二格納手段３を面切替しながら、スロット周期で交互にＦｉｅｌｄ毎振幅値第一格納手段２及びＦｉｅｌｄ毎振幅値第二格納手段３にフィールド毎の振幅値を設定する。
【００４９】
従来の技術では、シンボル毎に振幅値を設定しているため、メモリエリアを多く必要とするが、本実施例では、フィールド毎に振幅値を設定する手段を設けることで、回路規模の削減を図るとともに、送信電力制御手段１の負荷軽減を実現する。
【００５０】
また、送信部制御手段１はＦｉｅｌｄ情報第二格納手段５に設定されている伝送フォーマットへ切替えが必要な場合と（図５ステップＳ８）、Ｆｉｅｌｄ情報第一格納手段４に設定されている伝送フォーマットへの切替えが必要な場合とに（図５ステップＳ９）、Ｆｉｅｌｄ情報切替手段６に対してフィールド情報の切替指示を設定する（図６ステップＳ１０）。
【００５１】
つまり、処理する送信チャンネルが「ＳＴＴＤ」伝送が適用され、かつ「Ｃｏｍｍｐｒｅｓｓｅｄ  Ｍｏｄｅ  ｂｙ  ｒｅｄｕｃｉｎｇ  ｔｈｅ  ｓｐｒｅａｄｉｎｇ  ｆａｃｔｏｒ  ｂｙ  ２」が適用された際の圧縮伝送中フォーマットが通常伝送に使用されるフォーマットのフィールド情報が異なる場合に、フィールドの切替制御が必要になり、切替えが発生するタイミングは、通常フォーマットから圧縮フォーマットへ切替わる際と、圧縮フォーマットから通常フォーマットに切替わる際とである。
【００５２】
また、振幅格納部選択タイミング生成手段９はＦｉｅｌｄ情報第一格納手段４、Ｆｉｅｌｄ情報第二格納手段５、Ｆｉｅｌｄ情報切替制御手段６、Ｓｌｏｔタイミング発生手段７からそれぞれ入力する信号に基づいて、Ｆｉｅｌｄ毎振幅値第一格納手段２及びＦｉｅｌｄ毎振幅値第二格納手段３のいずれの振幅値を適用するかを選択する信号を、振幅格納部選択手段８に出力する（図６ステップＳ１１）。
【００５３】
振幅格納部選択手段８ではその信号に基づいて、Ｆｉｅｌｄ毎振幅値第一格納手段２及びＦｉｅｌｄ毎振幅値第二格納手段３のうちの選択された格納手段内の振幅値を、Ｆｉｅｌｄ選択出力手段１０に出力する（図６ステップＳ１２）。
【００５４】
各部の出力信号についてより詳細な具体例をあげると、Ｓｌｏｔタイミング発生手段７からスロット境界でトグルする信号を出力し、Ｆｉｅｌｄ情報切替制御手段６から切替トリガを出力する。振幅格納部選択タイミング生成手段９ではＦｉｅｌｄ情報切替制御手段６から切替トリガを受信すると、次のスロット境界で、Ｆｉｅｌｄ情報第一格納手段４及びＦｉｅｌｄ情報第二格納手段５のうちの選択している格納手段からの信号を他方の格納手段からの信号に切替える。
【００５５】
送信電力は次のスロットのパイロットフィールドから切替える必要があるので、パイロットフィールドの位置を示すパルス信号を選択したフィールド情報から生成し、Ｓｌｏｔタイミング発生手段７からスロット境界でトグルする信号とＥＸ−ｏｒ（排他的論理和）をとって、振幅値格納部選択手段８に出力する。
【００５６】
Ｆｉｅｌｄ選択タイミング生成手段１１はＦｉｅｌｄ情報第一格納手段４、Ｆｉｅｌｄ情報第二格納手段５、Ｆｉｅｌｄ情報切替制御手段６、Ｓｌｏｔタイミング発生手段７から入力する信号に基づいて、フィールドを選択する信号を生成し、Ｆｉｅｌｄ選択振幅出力手段１０に出力する（図６ステップＳ１３）。
【００５７】
Ｆｉｅｌｄ選択振幅出力手段１０はその信号に基づいて、振幅格納部選択手段８から入力するフィールド毎の振幅値の中から、振幅値を選択して出力する（図６ステップＳ１４）。
【００５８】
各部の出力信号についてより詳細な具体例をあげると、Ｓｌｏｔタイミング発生手段７からスロット境界でトグルする信号を出力し、Ｆｉｅｌｄ情報切替制御手段６から切替トリガを出力する。振幅格納部選択タイミング生成手段９ではＦｉｅｌｄ情報切替制御手段６から切替トリガを受信すると、次のスロット境界で、Ｆｉｅｌｄ情報第一格納手段４及びＦｉｅｌｄ情報第二格納手段５のうちの選択している格納手段からの信号を他方の格納手段からの信号に切替える。
【００５９】
結果として、選択された信号を用いて、各フィールドの位置を示すパルス信号を生成し、Ｆｉｅｌｄ選択タイミング生成手段１１はその信号をＦｉｅｌｄ選択振幅出力手段１０に出力する。Ｆｉｅｌｄ選択振幅出力手段１０では各フィールドのパルスタイミングによって、各フィールドの出力タイミングを認識し、対応したフィールドの振幅値を出力する。
【００６０】
また、ＤＡＴＡフィールドについては、フィールド情報にて指定されなかったフィールドをＤＡＴＡフィールドとして扱い、Ｆｉｅｌｄ選択タイミング生成手段１１から入力するパルス信号としてフィールド指定されなかったタイミングで、Ｆｉｅｌｄ選択振幅出力手段１０はＤＡＴＡフィールドの振幅値を出力する。
【００６１】
このように、本実施例では、フィールド情報を活用することで、送信電力制御部１の回路規模を削減し、かつ「ＳＴＴＤ」や「Ｃｏｍｍｐｒｅｓｓｅｄ  Ｍｏｄｅ  ｂｙ  ｒｅｄｕｃｉｎｇ  ｔｈｅ  ｓｐｒｅａｄｉｎｇ  ｆａｃｔｏｒ  ｂｙ  ２」に対しても、簡易な回路で対応することができる。
【００６２】
また、本実施例では、送信電力制御部１の負荷軽減を図ることができ、上記の回路規模の削減と送信電力制御部の負荷軽減とによって、消費電力も低減することができる。
【００６３】
尚、本実施例において、ＴＰＣフィールド及びＴＦＣＩフィールドの振幅値は、ＤＡＴＡフィールドと振幅値が同じであれば、Ｆｉｅｌｄ情報第一格納手段４及びＦｉｅｌｄ情報第二格納手段５にフィールド長として０（ゼロ）を設定する。フィールドが指定されないフィールドに対しては、ＤＡＴＡフィールドの振幅値が適用されるので、振幅値が指定されなかったフィールドに対しても、ＤＡＴＡフィールドと同じ振幅値が出力される。これらの作用によって、送信部制御手段１の負荷軽減を図ることができる。
【００６４】
【発明の効果】
以上説明したように本発明は、基地局装置において送信電力制御を行う送信電力制御回路で、基地局装置からの送信チャンネルのフィールド情報を利用して送信電力制御を行うことによって、回路規模の削減と負荷の軽減とを図ることができ、消費電力をも低減することができるという効果が得られる。
【図面の簡単な説明】
【図１】本発明の一実施例によるＷＣＤＭＡ基地局装置の送信電力制御回路の構成を示すブロック図である。
【図２】基地局送信チャンネルのフォーマットの一例を示す図である。
【図３】本発明の一実施例によるフィールド毎振幅情報を示す図である。
【図４】本発明の一実施例によるフィールド情報を示す図である。
【図５】本発明の一実施例によるＷＣＤＭＡ基地局装置の送信電力制御回路の動作を示すフローチャートである。
【図６】本発明の一実施例によるＷＣＤＭＡ基地局装置の送信電力制御回路の動作を示すフローチャートである。
【図７】従来例によるＷＣＤＭＡ基地局装置の送信電力制御回路の構成を示すブロック図である。
【図８】（ａ）図７のＳｙｍｂｏｌ毎振幅値第一格納手段の構成を示す図、（ｂ）は図７のＳｙｍｂｏｌ毎振幅値第二格納手段の構成を示す図である。
【符号の説明】
１  送信部制御手段
２  Ｆｉｅｌｄ毎振幅値第一格納手段
３  Ｆｉｅｌｄ毎振幅値第二格納手段
４  Ｆｉｅｌｄ情報第一格納手段
５  Ｆｉｅｌｄ情報第二格納手段
６  Ｆｉｅｌｄ情報切替制御手段
７  Ｓｌｏｔタイミング発生手段
８  振幅格納部選択手段
９  振幅格納部選択タイミング生成手段
１０  Ｆｉｅｌｄ選択振幅出力手段
１１  Ｆｉｅｌｄ選択タイミング生成手段
【図１】
2004215121.tif 000003
【図２】
2004215121.tif 000004
【図３】
2004215121.tif 000005
【図４】
2004215121.tif 000006
【図５】
2004215121.tif 000007
【図６】
2004215121.tif 000008
【図７】
2004215121.tif 000009
【図８】
2004215121.tif 000010